(57)【要約】      （修正有）【課題】自転車の速さや傾きを考慮に入れて良好に照光し使いやすく複雑ではないアクティブ型の照光デバイスを提供する。【解決手段】照光デバイス１は、長距離照光のための第１の光源構成６を備える第１の光学的システムＡと、短距離照光のための第２の光源構成７を備える第２の光学的システムＢとを有し、これらは制御ユニットによって制御される。また、自転車が位置している場所の光強度を判断する光センサー３を有し、周囲光強度が所定の光しきい値よりも低いときに、制御ユニットが光源の光強度を適応させる。また、使用している自転車の経路上での速さを判断するために速さセンサー４が設けられ、制御ユニットが少なくとも１つの所定の速さしきい値から第１の光源構成の光源の活性化を制御する。前記第１の光源構成６及び／又は前記第２の光源構成７の光源又は光源群の光強度を選択して調整するために向きないし傾き検出器５が設けられている。【選択図】図１
2020033007.tif 000002
【特許請求の範囲】
【請求項１】
携行可能な又は自転車（１００）に設けられるアクティブ型の照光デバイス（１）であって、
少なくとも１つのパワー供給源（Ｖｄｄ）と、第１の光学的システム（Ａ）と、第２の光学的システム（Ｂ）と、光センサー（３）と、及び速さセンサー（４ａ、４ｂ）とを有し、
前記第１の光学的システム（Ａ）は、長距離照射のために第１の光源構成（６）を有し、前記パワー供給源（Ｖｄｄ）に接続された制御ユニット（２）によって制御され、前記第１の光源構成（６）の各光源又は光源群は、前記第１の光源構成（６）の出力において向きの方向が異なる光線を発生させるように意図されており、
前記第２の光学的システム（Ｂ）は、短距離照射のために第２の光源構成（７）を有し、前記パワー供給源（Ｖｄｄ）に接続された前記制御ユニット（２）によって制御され、前記第２の光源構成（７）の各光源又は光源群は、前記第２の光源構成（７）の出力において向きの方向が異なる光線を発生させるように意図されており、
前記光センサー（３）は、当該照光デバイス（１）を備える自転車が位置している場所の光強度を判断し、前記制御ユニット（２）に測定信号を供給し、
前記制御ユニット（２）は、周囲光強度が所定の光しきい値よりも下に落ちたときに少なくとも前記第２の光学的システム（Ｂ）を自動的に活性化させ、活性化されていれば前記第１の光学的システム（Ａ）及び／又は前記第２の光学的システム（Ｂ）のいくらかの光源又はいくらかの光源群の光強度を適応させるように構成しており、
前記速さセンサー（４ａ、４ｂ）は、経路又は道路（５０）において使用されている前記自転車（１００）の速さを判断し、前記制御ユニット（２）に測定信号を供給し、これによって、少なくとも１つの所定の速さしきい値から前記第１の光学的システム（Ａ）の前記第１の光源構成（６）を活性化させる
ことを特徴とするデバイス（１）。
【請求項２】
携行可能な又は自転車（１００）に設けられるアクティブ型の照光デバイス（１）であって、
少なくとも１つのパワー供給源（Ｖｄｄ）と、第１の光学的システム（Ａ）と、第２の光学的システム（Ｂ）と、光センサー（３）と、及び向きないし傾き検出器（５ａ、５ｂ、５ｃ）とを有し、
前記第１の光学的システム（Ａ）は、長距離照射のために第１の光源構成（６）を有し、前記パワー供給源（Ｖｄｄ）に接続された制御ユニット（２）によって制御され、前記第１の光源構成（６）の各光源又は光源群は、前記第１の光源構成（６）の出力において向きの方向が異なる光線を発生させるように意図されており、
前記第２の光学的システム（Ｂ）は、短距離照射のために第２の光源構成（７）を有し、前記パワー供給源（Ｖｄｄ）に接続された前記制御ユニット（２）によって制御され、前記第２の光源構成（７）の各光源又は光源群は、前記第２の光源構成（７）の出力において向きの方向が異なる光線を発生させるように意図されており、
前記光センサー（３）は、当該照光デバイス（１）を備える自転車が位置している場所の光強度を判断し、前記制御ユニット（２）に測定信号を供給し、
前記制御ユニット（２）は、周囲光強度が所定の光しきい値よりも下に落ちたときに少なくとも前記第２の光学的システム（Ｂ）を自動的に活性化させ、活性化されていれば前記第１の光学的システム（Ａ）及び／又は前記第２の光学的システム（Ｂ）のいくらかの光源又はいくらかの光源群の光強度を適応させるように構成しており、
前記向きないし傾き検出器（５ａ、５ｂ、５ｃ）は、前記第１の光源構成（６）及び／又は前記第２の光源構成（７）の少なくともいくらかの光源又は光源群の光強度を選択して調整するために向きないし傾きの信号を前記制御ユニット（２）に供給する
ことを特徴とするデバイス（１）。
【請求項３】
前記制御ユニット（２）は、前記自転車（１００）が使用開始されるとすぐに、前記第１及び第２の光学的システム（Ａ、Ｂ）の光源の照光を自動的に制御するように構成している
ことを特徴とする請求項１又は２に記載のデバイス（１）。
【請求項４】
前記第１の光源構成（６）及び／又は前記第２の光源構成（７）の少なくともいくらかの光源又は光源群の光強度を選択して調整するために向きないし傾きの信号を前記制御ユニット（２）に供給するために向きないし傾き検出器（５ａ、５ｂ、５ｃ）を有する
ことを特徴とする請求項１に記載のデバイス（１）。
【請求項５】
使用している自転車（１００）の経路又は道路（５０）上での速さを判断し、測定信号を前記制御ユニット（２）に供給する速さセンサー（４ａ、４ｂ）を有し、これによって、少なくとも１つの所定の速さしきい値から前記第１の光学的システム（Ａ）の前記第１の光源構成（６）を活性化させる
ことを特徴とする請求項２に記載のデバイス（１）。
【請求項６】
前記第１及び第２の光源構成（６、７）はそれぞれ、発光ダイオードのアレーを有し、前記第１及び第２の光源構成（６、７）の出力において異なる照光方向を有する光線を前記発光ダイオードがそれぞれ又は群で発生させ、
前記第１の光源構成（６）は、長距離照光のために意図されており、前記第２の光源構成（７）は、短距離照光のために意図されている
ことを特徴とする請求項１又は２に記載のデバイス（１）。
【請求項７】
前記制御ユニット（２）は、前記光センサー（３）によって検出される光強度に対して、前記第１の光学的システム（Ａ）の前記第１の光源構成（６）及び／又は前記第２の光学的システム（Ｂ）の前記第２の光源構成（７）の光源の光強度を徐々に適応させるように構成している
ことを特徴とする請求項１又は２に記載のデバイス（１）。
【請求項８】
前記制御ユニット（２）は、前記光センサー（３）によって検出される光強度に対して、前記第１の光学的システム（Ａ）の前記第１の光源構成（６）及び／又は前記第２の光学的システム（Ｂ）の前記第２の光源構成（７）の光源の光強度に段階的に適応するように構成している
ことを特徴とする請求項１又は２に記載のデバイス（１）。
【請求項９】
前記制御ユニット（２）は、メモリーを有するマイクロコントローラーであり、このメモリーには、当該照光デバイス（１）が位置している場所の日付と時間が格納され、これによって、所与の日付の特定の時間から前記第１及び第２の光学的システム（Ａ、Ｂ）の前記第１及び第２の光源構成（６、７）の光源が機能することが可能になる
ことを特徴とする請求項１又は２に記載のデバイス（１）。
【請求項１０】
前記制御ユニット（２）は、メモリーを有するマイクロコントローラーであり、このメモリーには、前記第１及び第２の光源構成（６、７）の発光ダイオードの光強度を選択して調整するプログラムが格納されており、これによって、前記光センサー（３）によって検出された光強度に応じて中程度の可変距離の光を与える
ことを特徴とする請求項６に記載のデバイス（１）。
【請求項１１】
前記向きないし傾き検出器（５ａ、５ｂ、５ｃ）は、磁力計（５ｂ）及び／又は傾斜計（５ｃ）及び／又は加速度計（５ｃ）及び／又はジャイロメーター（５ｃ）及び／又はポテンシオメーター（５ａ）によって形成される
ことを特徴とする請求項２又は４に記載のデバイス（１）。
【請求項１２】
前記速さセンサー（４ａ、４ｂ）は、前記自転車（１００）の車輪のフォークにマウントされたＧＰＳレシーバー又は同様の物（４ｂ）又は磁気センサー（４ｂ）によって形成され、これによって、前記車輪のスポーク又はリムにマウントされた永久磁石の通過を検出して前記自転車（１００）の速さを判断する
ことを特徴とする請求項１又は５に記載のデバイス（１）。
【請求項１３】
前記向きないし傾き検出器（５ａ、５ｂ、５ｃ）は、前記自転車のユーザーのヘルメットのような支持体にマウントされ、向きないし傾きの信号を双方向性の無線通信によって前記制御ユニット（２）へと供給するように構成しており、
前記制御ユニット（２）は、前記自転車（１００）のユーザー（Ｅ）の頭部の運動によって前記第１及び第２の光源構成（６、７）の光源の向きを定めるように前記第１及び第２の光学的システム（Ａ、Ｂ）を備える前記自転車に配置されている
ことを特徴とする請求項２又は４に記載のデバイス（１）。
【発明の詳細な説明】
【技術分野】
【０００１】
本発明は、携行可能な又は自転車に設けられるアクティブ型の照光デバイスに関する。好ましくは、各照光デバイスには、少なくとも１つの第１の光源構成を有する第１の光学的システムと、及び少なくとも１つの第２の光源構成を有する第２の光学的システムがあり、これらは自転車に設けられる。
【背景技術】
【０００２】
車両が移動する経路又は道路に適切に照光する既知の方法の１つは、ランプや他の光源が発した光の強度を適応可能な構成を有する照光デバイスを用いるものである。また、このような照光デバイスは、適応可能であることができ、これによって、暗いところで曲がろうとする曲線路に応じて光線の向きを定めたり、道路で遭遇する対向車両の運転者の目をくらませないようにしたりする。
【０００３】
国際特許出願WO2017/023293A1は、自転車のような二輪車のためのインテリジェント照光システムを開示している。これは、発光ダイオード（ＬＥＤ）の構成を有しており、これらの発光ダイオードを独立的に選択して所望の光強度にすることができる。また、自転車の高さや傾きに応じて光の向きを定めるためにモーターが設けられており、また、運動又は光強度センサー、そして、自転車の速さに応じて変化する光構成が設けられている。しかし、すべてのＬＥＤは、互いに独立してではなく、モーターによって同時に、向きが変えられる。また、この文献においては、複数のＬＥＤによって発される各光線の向きを規定して、検出された速さや光強度に応じて各ＬＥＤの放射距離と強度を適応させることをしていない。このことは課題となりうる。
【０００４】
米国特許出願US2018/0020528A1は、自転車用のスマート照光システムを開示している。自転車のフロントフォーク上に、また、サイクリストのヘルメット上に、光構成を設けることができる。この光構成は、加速度と速さを検出する運動センサーと、及び曲線路や速さ、そして、サイクリストの頭部の運動に応じて光源を回転させる手段とを有し、これによって、光線の向きが常に道路の方へのサイクリストの視線と平行であり続ける。しかし、この光構成は、異なる態様で２つの光源の向きを定めて速さや周囲光に応じて道路に照光することを行わない。このことは課題となりうる。
【０００５】
欧州特許EP3036149B1は、複数のＬＥＤを利用できる自転車用の照光デバイスを開示している。これも、光センサーを備える。制御要素が設けられて、サイクリストの加速度、向き及び速さを基準データと比較する。また、ＬＥＤの選択も行われる。しかし、再び言及するが、これにおいては、走行している道路に照光するために異なる態様で少なくとも２つの光源の向きを定めることを意図しているのではない。このことは課題となりうる。
【０００６】
また、フランス特許FR2844759B1は、ジャイロメーターを備えるオートバイ用のヘッドライト制御システムを開示している。これにおいては、特に、走行する曲線路に応じて、光の向きを定めるための手段が設けられている。しかし、この文献は、走行している道路に照光するように異なる態様で少なくとも２つの光源の向きを定めて、検出された速さと光強度を考慮に入れることを行っていない。このことは課題となりうる。
【発明の概要】
【発明が解決しようとする課題】
【０００７】
このようにして、本発明の目的は、前記の課題を克服して、自転車の速さや傾きを考慮に入れて良好に照光し使いやすくて複雑ではないような、携行可能な又は少なくとも２つの車輪を有する自転車に設けられるアクティブ型の照光デバイスを提供することである。
【課題を解決するための手段】
【０００８】
このために、本発明は、独立請求項１又は２に記載の特徴を有する、携行可能な又は少なくとも２つの車輪を有する自転車に設けられるアクティブ型の照光デバイスに関する。
【０００９】
従属請求項３〜１３において、当該照光デバイスの特定の実施形態が定められている。
【００１０】
本発明に係る照光デバイスの１つの利点は、当該デバイスの光センサーが周囲光強度を検出して、周囲光強度が所定の光しきい値よりも低いときに光学的システムＡ及びＢの光源又は光源群を活性化させることに基づいている。この光源又は光源群を電池のようなパワー電圧源によってパワー供給される制御ユニットによって自動的に活性化することができる。
【００１１】
好ましいことに、活性化された光源又は光源群の光強度は、周囲光強度の変化に通常逆に対応して変化する制御ユニットによって管理される。
【００１２】
好ましいことに、当該照光デバイスは、速さセンサーを備え、これによって、使用している自転車の速さが所定の速さしきい値を超えるときにのみ光学的システムＡの光源又は光源群を活性化させる。光学的システムＢの光源又は光源群は、自転車の速さとは独立に、周囲光強度が所定の光しきい値よりも低く落ちるとすぐに、活性化されることができる。
【００１３】
また、好ましいことに、照光デバイスは、少なくとも１つの向きないし傾き検出器を備えることができ、これによって、第１の光源構成及び／又は第２の光源構成の少なくともいくらかの光源又は光源群の光強度を選択して調整する。選択された光源又は光源群の照光は、可能性としては、レンズの集合と組み合わさって、各光源構成が元になっている結果として得られる光線の向きを道路又は経路上にて走行する曲線路に応じて特定の方向に定めることを可能にする。
【００１４】
図面に描かれている少なくとも１つの実施形態に基づいて与えられる以下の説明を読むことによって、少なくとも２つの車輪を有する自転車に設けられた携行可能な又は自転車に設けられるアクティブ型の照光デバイスの目的、利点及び特徴を明確に理解することができるであろう。なお、これに限定されない。
【図面の簡単な説明】
【００１５】
【図１】本発明に係るアクティブ型の照光デバイスの構成要素の単純化されたブロック図である。
【図２】アクティブ型の照光デバイスの２つの光学的システムＡ及びＢの活性化された光源を備える道路又は経路上の自転車を概略的に示している。これは、本発明にしたがって光学的システムＡの少なくともいくらかの光源又は光源群の光強度を選択して調整するために、測定された光強度と速度を考慮に入れる。
【図３】図３ａ、３ｂ及び３ｃは、本発明に係るアクティブ型の照光デバイスの光学的システムＡ及びＢの少なくともいくらかの光源又は光源群の光強度を選択して調整するように曲線路を走行している道路又は経路上の自転車を概略的に示している。
【発明を実施するための形態】
【００１６】
以下において、携行可能な又は少なくとも２つの車輪を有する自転車に設けられるアクティブ型の照光デバイスを参照しながら説明する。当業者の間で周知な電子構成要素すべてを単純化して説明する。
【００１７】
図１に、携行可能な又は少なくとも２つの車輪を有する自転車に設けられるアクティブ型の照光デバイス１の様々な構成要素を単純化して示している。照光デバイス１は、主に、ＡとＢで表される２つの光学的システムによって構成している。第１の光学的システムＡは、少なくとも１つの第１の光源構成６を有し、第２の光学的システムＢは、少なくとも１つの第２の光源構成７を有する。第１の光源構成６は、好ましくは強度が可変である、長距離の照光のために設けられる。第２の光源構成７は、好ましくは強度が可変である、短距離の照光のために設けられる。
【００１８】
各光源構成６、７は、発光ダイオード又は発光ダイオード群を有することができ、これは、制御ユニット２によって選択されて又はすべて同時に活性化することができる。これらの光源構成６、７ごとに少なくとも２つの光源を有することができる。好ましくは、光源構成６、７ごとに少なくとも３つの光源を有することができ、その各光源は、異なる方向又は照光軸を有する円錐状の光線を発生させることができる。この光線の向きは、各光源の出力において直接、又は一又は複数のレンズを介して、定められる。このようにして、活性化された光源構成６、７のそれぞれによって与えられた中程度の光線の向きを定めなければならないときには、いくらかの光源を制御ユニット２によって選択することができる。このことによって、自転車のユーザーが走行する曲線路に応じて中程度の光線の向きを定めることができる。
【００１９】
なお、各光源構成６、７は、複数の発光ダイオード（ＬＥＤ）のような光源のアレーを有することができ、これらの光源を互いから独立に又は発光ダイオード群ごとに選択することができる。このアレーは、例えば、ｘ2個の発光ダイオードを有することができる。ここで、ｘは、２以上の整数である。例えば、光源構成６、７ごとに６４個の発光ダイオードを設けることができる。
【００２０】
一般的には、各光学的システムＡ及びＢは、光源構成６、７に加えて、さらに、所定の向きの光線を与える、光源と組み合わさったレンズ及び鏡（図示せず）の構成を有する。図１に示しているシナリオにおいて、構成６、７の光源は、連続的なパワー源Ｖｄｄに接続された制御ユニット２によって制御される。この電気的なパワー源は、好ましくは、充電可能電池又は一次電池が元となっていたり、受けた電磁放射から抽出し整流されたりするＤＣ電源である。
【００２１】
照光デバイス１は、さらに、測定されたパラメーターに応じて各光源構成６、７が活性化することを可能にするために制御ユニット２に接続された一又は複数のセンサー３、４ａ、４ｂ、５ａ、５ｂ、５ｃを有する。好ましくは、ＤＣ電圧源Ｖｄｄによってパワー供給される制御ユニット２は、自転車が使用開始されるとすぐに、第１及び第２の光学的システムＡ、Ｂの第１及び第２の構成６、７の光源の照光を自動的に制御するように構成している。
【００２２】
制御ユニット２は、さらに、ＭＥＭＳや計時器用の水晶発振器であることができる低周波数発振器と、及び少なくとも１つの揮発性又は非揮発性のメモリーとを有することができる。このように、制御ユニット２はマイクロコントローラーであることができる。この揮発性又は非揮発性のメモリー（図示せず）は、前記の一又は複数のセンサーによって行われる測定結果、そして、センサー３、４ａ、４ｂ、５ａ、５ｂ、５ｃが行う測定結果を管理し計算する少なくとも１つの計算アルゴリズムを格納するために用いられる。
【００２３】
照光デバイス１は、主に、太陽電池又は太陽電池網によって形成することができる光強度センサーないし光センサー３を有する。制御ユニット２は、光強度センサー３によって検出された明度しきい値から、第１の光学的システムＡと第２の光学的システムＢの少なくともいくらかの光源又は光源群を活性化させる。この活性化は、周囲光強度が所定の光しきい値よりも低いときに行われる。この光強度しきい値は、使用している自転車のまわりの周囲光に直接依存させることができる。また、活性化された光源又は光源群の光強度は、可変であることができ、通常、周囲光強度の変化に逆に対応して変化する。
【００２４】
なお、第２の光学的システムＢの第２の構成７のいくらかの光源又は光源群は、自転車を使用しているときに周囲光強度が所定の光強度しきい値よりも低くなると常にすぐに活性化される。しかし、第１の光学的システムＡの第１の構成６のいくらかの光源又は光源群は、周囲光強度が不十分であり下記に説明するように付加的な条件と組み合わさったときにのみ活性化される。
【００２５】
当然、自転車が使われないときに照光デバイスのすべての光源を不活性にするために手動のスイッチを設けることもできる。また、自転車が特定の時間に使われなかった後に、すなわち、５分後のような運動がなかった所定の経過時間の後に、前記光源を非活性化させることができる。
【００２６】
当該デバイス１の第１の代替的実施形態において、照光デバイス１は、制御ユニット２に接続される少なくとも１つの速さセンサー４ａ、４ｂを有する。自転車が使用されているとき、速さセンサー４ａ、４ｂは、自転車の速さを判断し、所定の速さしきい値を超えると、第１の光学的システムＡの第１の構成６の少なくともいくらかの光源又は光源群を活性化させる。また、第１の光学的システムＡの第１の構成６のいくらかの光源又は光源群は、光センサー３によって検出される周囲光強度が所定の光しきい値よりも低ければ、光を発生させる。上で言及したように、第２の光源構成７の選択された光源は、計算された自転車の速さとは独立に活性化される。すなわち、光センサー３によって検出される周囲光強度が所定の光しきい値よりも低くなるとすぐに活性化される。
【００２７】
上に記載したように、自転車が使われないときに照光デバイスがすべての光源を不活性にすることを可能にする手動のスイッチを用いることができる。また、これらの光源を、５分後のような運動がなかった所定の経過時間の後に非活性化することができる。
【００２８】
速さセンサーは、ＧＰＳレシーバー又は等価物４ａ、又は好ましくは、自転車の車輪の１つのスポーク、又はリムの上に配置された少なくとも１つの永久磁石の通過を検出する磁気センサー４ｂであることができる。磁気センサー４ｂの近傍を永久磁石が通過することによって発生する磁気パルスはそれぞれ、低周波数発振器が発生させる時間におけるレートに従い、速さと、所定の速さしきい値を超えた時間とを制御ユニット２が計算することを可能にする。
【００２９】
照光デバイス１は、さらに、その使用場所に対応する年の各月の日付と時間（暦表の日付と時間）の暦３’を有していたり、受けたりする。制御ユニット２は、当該デバイスの所定の使用場所についてのこの暦３’をメモリーに格納して、例えば、所定の速さしきい値も超えたときに、光学的システムＡ、Ｂの選択された光源の活性化を制御することができる。この所定の速さしきい値を１５ｋｍ／ｈや２５ｋｍ／ｈにセットすることができるが、別の値にセットしてメモリーに格納することもできる。
【００３０】
また、自転車が開放感がある平野にあるか周囲光が早く弱まる峡谷にあるかどうかの場所に応じて、活性化しきい値を変化させることができる。
【００３１】
この目的のために、電圧源Ｖｄｄに接続された第１のレギュレーター１０の集合を有する第１の光強度調整ユニット１２が設けられる。これらの第１のレギュレーター１０のそれぞれは、依然として対応する第１のスイッチ８に接続され、これらの第１のスイッチ８自身は第１の光源構成６に接続される。各第１のスイッチ８は、少なくとも周囲光強度が不十分であれば、第１の光源構成６の少なくともいくらかの光源を活性化させるように制御ユニット２によって制御される。電圧源Ｖｄｄに接続された第２のレギュレーター１１の集合を有する第２の光強度調整ユニット１３が設けられる。これらの第２のレギュレーター１１のそれぞれは、依然として対応する第２のスイッチ９に接続され、これらの第２のスイッチ９自身は第２の光源構成７に接続される。各第２のスイッチ９は、少なくとも周囲光強度が不十分であれば、第２の光源構成７の少なくともいくらかの光源を活性化させるように制御ユニット２によって制御される。
【００３２】
各強度調整ユニット１２、１３の第１及び第２のスイッチ８、９は、好ましくは、図示しているＰＭＯＳトランジスターのようなＭＯＳトランジスターである。しかし、ＮＭＯＳトランジスターも考慮することができる。各第１のＰＭＯＳトランジスター８のソースは、対応する各第１のレギュレーター１０に接続され、各第２のＰＭＯＳトランジスター９のソースは、対応する各第２のレギュレーター１１に接続される。各第１のＰＭＯＳトランジスター８のゲートは、制御ユニット２に接続しており、これによって、その第１のＰＭＯＳトランジスター８が導電性になったり絶縁性になったりする。各第２のＰＭＯＳトランジスター９のゲートは、制御ユニット２に接続しており、これによって、その第２のＰＭＯＳトランジスター９が導電性になったり絶縁性になったりする。
【００３３】
なお、各レギュレーター１０、１１は、電流源であることができ、各光源又は光源群にて流れるように意図されているその電流は、可変であり、周囲光強度が所定の光しきい値よりも下に落ちると増加する。各レギュレーターの電流の変化は、制御ユニット２によって直接制御される。これらの電流源は、交流電流源であることもできる。
【００３４】
なお、レギュレーター１０、１１における電流は、制御ユニット２からのコマンドに応じて別のレギュレーター１０、１１における電流と異なることができる。このことによって、１つの光源又は光源群の光強度を別の光源又は光源群に対して変更することができる。このことによって、究極的には、各光源構成６、７の光源又は光源群についての選択に応じて、光学的システムＡ及びＢの出力において発生する中程度の光線の向きを定めることができる。
【００３５】
当該デバイス１の第２の代替的実施形態において、照光デバイス１は、制御ユニット２に接続される少なくとも１つの向きないし傾き検出器５ａ、５ｂ、５ｃを有する。自転車を使用しているときに、この向きないし傾き検出器５ａ、５ｂ、５ｃは、例えば、経路又は道路上にある使用中の自転車が移動する曲がりを判断する。この向きないし傾き検出器５ａ、５ｂ、５ｃは、第１の光源構成６及び／又は第２の光源構成７の少なくともいくらかの光源又は少なくともいくらかの光源群の光強度を選択して調整するために、向きないし傾きの信号を制御ユニット２に供給する。各光線の向きは、選択された光源又は選択された光源群に対して、光源又は光源群の出力にて直接、レンズの集合と組み合わさって、あるいはこれらの両方によって、異なるようにされる。このように、選択された光源又は選択された光源群の中程度の光線は、走行する曲線路に応じて、右に曲がる曲線路のときには右に、また、左に曲がる曲線路のときには左に、向く。
【００３６】
したがって、選択された光源の光線の向きを定めて各光源構成６、７によって発生する中程度の光線の向きを自転車が走行する曲線路ないし曲がりに応じて定めることを可能にするためのモーターアセンブリーは必要ではない。
【００３７】
この第２の代替的実施形態において、周囲光強度が所定の光しきい値よりも下に落ちるとすぐに活性化される２つの光源構成６、７を考えることができる。しかし、これとは別に、速さセンサー４ａ、４ｂが検出する速さが所定の速さしきい値を超えないときに、第２の光源構成７の光源又は光源群のいくらかのみを活性化させることもできる。
【００３８】
向きないし傾き検出器を、図３ａ〜３ｃを参照しながら下で説明するように、ポテンシオメーター５ａ及び／又は磁力計５ｂ及び／又は傾斜計５ｃ及び／又は加速度計５ｃ及び／又はジャイロメーター５ｃによって形成することができる。
【００３９】
図２は、アクティブ型の照光デバイス１の２つの光学的システムＡ及びＢの２つの光源構成の少なくともいくらかの活性化された光源を備える、道路５０又は経路上にある自転車１００を概略的に示している。自転車の速さが所定の速さしきい値を超え周囲光強度が不十分であるときに、これらの２つの光源構成が活性化される。周囲光強度が不十分でなければ、光学的システムＢの第２の光源構成のみが活性化される。このように、光学的システムＡの選択された光源の光強度ILUM(v, IAMB)は、自転車であることができる自転車１００の速さｖ、そして、周囲光強度IAMBに依存する。光学的システムＢの選択された光源の光強度ILUM(IAMB)は、周囲光強度IAMBのみに依存する。
【００４０】
また、図２に示しているように、自転車の速さが大きいほど、光学的システムＡの第１の光源構成が発生させる中程度の光線の光強度を多く増加させることができる。また、第１の光源構成の中程度の光線の向きを定めるように光学的システムＡのいくらかの光源を選択して、これによって、特定の鉛直方向のアジマス角度まで上方向にさらに遠くに照光することができる。この角度は、ゼロに近づく傾向にある。光源の光強度を、通常、周囲光強度に逆に対応して変化するように、又は段階的に、変化させることができる。
【００４１】
図３ａ、３ｂ及び３ｃは、アクティブ型の照光デバイス１の光学的システムＡ及びＢの選択された光源が発生させる中程度の光線の向きを定めるように曲線路を走行している、道路５０又は経路上の自転車１００を概略的に示している。各光学的システムＡ、Ｂを、例えば、自転車１００のハンドルバーに、取り付けることができる。前記の一又は複数の向きないし傾き検出器は、例えば、磁力計５ｂ、傾斜計５ｃ、加速度計５ｃ、ジャイロメーター５ｃ、ポテンシオメーター５ａ又はこれらの検出器の組み合わせである。
【００４２】
向きないし傾き検出器は、自転車１００のユーザーＥのヘルメットのような支持体上にマウントされることができ、自転車１００のハンドルバー上に配置された制御ユニットへと双方向無線通信によって向き信号を供給することができる。このことによって、光学的システムＡ及びＢの選択された光源によって発生する中程度の光線の向きを自転車１００のユーザーＥの頭部の運動によって制御することができる。
【００４３】
図３ａにおいて、照光デバイス１の光学的システムＡ及びＢの２つの光源構成が活性化されている。選択された光源が発生させる中程度の光線の向きは、道路５０における走行する曲線路に応じて角度βでなければならない。
【００４４】
図３ｂにおいて、制御ユニットは、後輪の方向Ｆに対する、自転車の前輪Ｄの回転角度γ、そして、自転車のユーザーＥの頭部の角運動εを考慮に入れる。
【００４５】
図３ｃにおいて、ユーザーＥが乗っている自転車の傾きは、道路５０に対して角度δであり、これも光源の向きを定めるために考慮に入れることができる。
【００４６】
上の説明に従って、下に記載されている請求の範囲によって定められる本発明の範囲を逸脱せずに、携行可能な又は自転車に設けられるアクティブ型の照光デバイスの複数の代替的な実施形態が可能である。
【符号の説明】
【００４７】
１  照光デバイス
２  制御ユニット
３  光センサー
６、７  駆動手段
８、９  スイッチ
１０、１１  レギュレーター
１２、１３  光強度調整ユニット
１６、１７  光源
５０  道路
１００  自転車
４ａ、４ｂ  速さセンサー
５ａ、５ｂ、５ｃ  向き検出器
Ａ、Ｂ  光学的システム
Ｅ  ユーザー
Ｖｄｄ  パワー供給源
【図１】
2020033007.tif 000003
【図２】
2020033007.tif 000004
【図３】
2020033007.tif 000005
【外国語明細書】
2020033007000001.pdf